(57)【要約】      （修正有）【課題】凧を使用して行う空撮に於いて、地面への衝突以前にカメラを回収でき、ピンボケ写真の最大の原因、鳴弦的振動の解消をするリグを提供する。【解決手段】凧糸を掴んで凧糸に吊り下げられるグリップ１８と、グリップ１８下端に固定されたリング１６と、カメラ５を固定する枠１、２と、リング下端と枠上端とを連結するスプリング１０と、このスプリング１０を包囲して直線性を保持する支柱パイプ９と、支柱パイプ９の上部でリング１６の上下方向の移動と出入を許容するように、支柱パイプ９の軸から見て軸対象に配置された複数対のガイド溝１３と、リング１６が、スプリング１０を伸長させていずれか一対のガイド溝１３から上方に飛び出し、スプリング１０が縮んでリング１６下端が支柱パイプ９の上端に衝突したとき、リング１６下端を一対のガイド溝１３に隣接する別の一対のガイド溝方向に案内する誘導部１５とを備えた。【選択図】図１
0003144596.tif 000002
【実用新案登録請求の範囲】
【請求項１】
凧糸を掴んで凧糸に吊り下げられるグリップと、
グリップ下端に固定されたリングと、
カメラを固定する枠と、
リング下端と枠上端とを連結する弾性紐と、
弾性紐を包囲して弾性紐の直線性を保持する支柱パイプと、
支柱パイプの上部で前記リングの上下方向の移動と出入を許容するように、支柱パイプの軸から見て軸対象に配置された複数対のガイド溝と、
前記リングが、前記弾性紐を伸長させていずれか一対の前記ガイド溝から上方に飛び出し、前記弾性紐が縮んで前記リング下端が前記支柱パイプの上端に衝突したとき、リング下端を前記一対のガイド溝に隣接する別の一対のガイド溝方向に案内する誘導部とを備えたことを特徴とするリグ。
【請求項２】
請求項１に記載のリグにおいて、
凧糸を挿通する柔軟なホースと、
前記ホースに嵌め込まれてホースの操作者側部分を補強する補強筒と、
補強筒近傍に固定され、ホースの操作者側から引き出された凧糸を巻き付ける留め金とを備え、
前記グリップは、前記ホースを掴むように固定されることを特徴とするリグ。
【請求項３】
請求項１または２に記載のリグにおいて、
弾力で開閉されて前記ホースを掴むグリップと、
グリップのホースを掴む部分に固定され、当該グリップが半開したときに、ホースの通過を阻止するまでホース上部に張り出してグリップの脱落を阻止し、グリップが全開したときに前記ホースを通過させる隙間を空ける保全ピンを備えることを特徴とするリグ。
【考案の詳細な説明】
【技術分野】
【０００１】
本考案は、凧を使用して行う空中撮影でカメラを吊り下げるためのリグに関する。
【背景技術】
【０００２】
凧にカメラを吊り下げて空撮をする技術が開発されている（特許文献１参照）。
【特許文献１】特開平５−２９７４４１号公報
【考案の開示】
【考案が解決しようとする課題】
【０００３】
凧にカメラを吊り下げて空撮をすると、カメラの着脱、振動吸収、方向転換が問題になる。この課題を解決するために、本考案は次のようなリグを提供することを目的とする。
（１）凧糸から簡単に着脱できる、しかも脱落し難いリグ。
（２）振動特に間断の無い鳴弦的振動を吸収するリグ。
【課題を解決するための手段】
【０００４】
以下の構成はそれぞれ上記の課題を解決するための手段である。
〈構成１〉
凧糸を掴んで凧糸に吊り下げられるグリップと、グリップ下端に固定されたリングと、カメラを固定する枠と、リング下端と枠上端とを連結する弾性紐と、弾性紐を包囲して弾性紐の直線性を保持する支柱パイプと、支柱パイプの上部で上記リングの上下方向の移動と出入を許容するように、支柱パイプの軸から見て軸対象に配置された複数対のガイド溝と、上記リングが、上記弾性紐を伸長させていずれか一対の上記ガイド溝から上方に飛び出し、上記弾性紐が縮んで上記リング下端が上記支柱パイプの上端に衝突したとき、リング下端を上記一対のガイド溝に隣接する別の一対のガイド溝方向に案内する誘導部とを備えたことを特徴とするリグ。
【０００５】
カメラが凧糸の中間で弾性紐により吊り下げられた枠に固定されているので、振動に強く、凧を挙げながら、カメラにより空撮をすることができる。また、凧糸にショックを与えると、弾性紐が伸長し、一対のガイド溝から上方に飛び出し、元に戻るときに、誘導部により回転する。即ち、複雑な制御装置無しに自動的に向きを変えることができる。
【０００６】
〈構成２〉
構成１に記載のリグにおいて、凧糸を挿通する柔軟なホースと、上記ホースに嵌め込まれてホースの操作者側部分を補強する補強筒と、補強筒近傍に固定され、ホースの操作者側から引き出された凧糸を巻き付ける留め金とを備え、上記グリップは、上記ホースを掴むように固定されることを特徴とするリグ。
【０００７】
ホースの操作者側から引き出された凧糸を補強筒の留め金に巻き付けて、このホースにグリップを用いてカメラを吊り下げるので、凧糸の中間にリグをしっかりと吊すことができる。グリップは補強筒の部分を掴むので、ずれや脱落を防止できる。柔軟なホースから凧糸を凧側に引き出すので、凧糸に無理な力が加わらない。また、柔軟なホースは振動吸収効果もある。
【０００８】
〈構成３〉
構成１または２に記載のリグにおいて、弾力で開閉されて上記ホースを掴むグリップと、グリップのホースを掴む部分に固定され、当該グリップが半開したときに、ホースの通過を阻止するまでホース上部に張り出してグリップの脱落を阻止し、グリップが全開したときに上記ホースを通過させる隙間を空ける保全ピンを備えることを特徴とするリグ。
【０００９】
グリップに保全ピンを取り付けたので、振動等でグリップが半開したときでも、グリップがホースから脱落しない。
【考案を実施するための最良の形態】
【００１０】
以下、本考案の実施の形態を実施例毎に詳細に説明する。
【実施例１】
【００１１】
図１は本考案のリグ５０の実施例正面図で、図２はリグ５０の分解図である。
図１に於いて上枠１下枠２は螺子３と４で結合されて一個の枠を構成している、カメラ５は螺子穴を通して螺子６を以て枠に固定されている。枠は螺子３と４の箇所から任意の角度に折れてカメラレンズの角度を決定する。上枠１と下枠２で構成された枠は螺子７によって下部連結部８を固定している。グリップ１８は接着螺子１７によってリング１６と一体化している。グリップ１８の上部連結穴１２と下部連結部８をコイルスプリング１０で連結する事でリグ５０の骨格を構成している。
【００１２】
この骨格に支柱パイプ９を被せ固定ピン１１で下部連結部８を通して固定されている。コイルスプリング１０は振動の吸収を兼ねている。支柱パイプ９の上部は、十字にガイド溝１３が設けられおり、ガイド１４、誘導部１５とコイルスプリング１０の相互作用でリグ５０を回転させる。グリップ１８は、ワンタッチで開閉し、リグ受け３０（図５）を掴む。またグリップ１８にはリグ５０の落下防止の為の保全ピン１９がもうけてある。なお、コイルスプリング１０は、ゴム紐でもよい。即ち、弾性紐でカメラを吊す。
【００１３】
図３は支柱パイプ９の付近の縦断面図である。
符号１３と１４と１５で構成される部分は、相互作用で凧糸２４に吊り下げられたリグ５０を手動で回転させる機能である。支柱パイプ９の上部を十字に均等四分割してガイド溝１３を四つ作る、作った後には自ずと棒状のガイド１４が同間隔で四本出来る。ガイド１４の先端は傾斜がつけてあり誘導部１５としての目的を持つ。凧糸に吊り下げられたリグ５０は、縦方向のみに伸縮するコイルスプリング１０によって絶えず振動を吸収する状態にある。リグ５０を手動で回転させる為に、手元で凧糸２４を大きく引いてから放すことで凧に上下運動を与えることができる。この時リング１６がガイド１４から瞬間上方に外れて下方に戻る時に、誘導部１５の傾斜に沿って隣のガイド溝１３にはまり込む、この時リグ５０とカメラはガイド溝１３の一つ分９０度回転する。予めコイルスプリング１０に捻りを加えておくと回転し易い。なお弾性紐状のものなら同等の成果が得られる。
【００１４】
図４はグリップの拡大斜視図である。
グリップ１８は片手で容易に開閉が可能である。しかし取り付けた後には保全ピン１９の作用で重力その他不自然な力では開閉しない。人為的ワンタッチでリグ受け３０（図５）に対して取り外しが容易である。
【００１５】
図５はリグ受けの斜視図である。
リグ受け３０は芯２１となる軽いアルミ等の中空のパイプ（補強筒）に、ホース２０を被せてあり中を揚げ糸２３（凧糸）が貫通している。芯に揚げ糸２４を巻き付け留め金２２に引っ掛けることで、リグ受け３０を揚げ糸２４に定着させることができる。全体は芯２１にホースを被せた部分とホースだけの部分から成り、芯２１はグリップ１８を受け、ホース２０だけの部分は振動緩和の一助になっている。
【００１６】
図６はリグ５０の使用状態の斜視図である。
凧２５とリグ受け３０の距離は２０メートルから５０メートル、と一定したものではなく風との妥協で決定する。凧の落下は時間的にリグ５０の方が凧よりはやく接地状態になるため、ワンタッチでリグ５０を取り外す事は容易である。
【００１７】
以上の構成により、凧を使用して行う空撮に於いて、地面への衝突以前にカメラの回収が可能である。従って、墜落に起因するカメラ破損を防止できる。また、ピンボケ写真の最大の原因、鳴弦的振動の解消ができる。
【図面の簡単な説明】
【００１８】
【図１】本考案のリグ５０の実施例正面図である。
【図２】リグ５０の分解図である。
【図３】支柱パイプ９の付近の縦断面図である。
【図４】グリップの拡大斜視図である。
【図５】リグ受けの斜視図である。
【図６】リグ５０の使用状態の斜視図である。
【符号の説明】
【００１９】
１  上枠
２  下枠
３  レンズ角度決定蝶螺子    
４  かしめ螺子
５  カメラ
６  カメラ固定螺子
７  下部連結固定螺子
８  下部連結部
９  支柱パイプ。
１０  コイルスプリング
１１  支柱パイプ固定ピン
１２  上部連結穴
１３  ガイド溝
１４  ガイド
１５  誘導部
１６  リング
１７  接着螺子
１８  グリッブ
１９  保全ピン
２０  ホース
２１  芯
２２  留め金
２３  揚げ糸
２４  凧糸
２５  凧
２６  コイルスプリング下部連結部  
３０  リグ受け
５０  リグ
【図１】
0003144596.tif 000003
【図２】
0003144596.tif 000004
【図３】
0003144596.tif 000005
【図４】
0003144596.tif 000006
【図５】
0003144596.tif 000007
【図６】
0003144596.tif 000008